(57)【要約】      （修正有）【課題】電熱線を異なる方向へ巻き回すことにより、電熱線から発生する電磁波を相殺する電磁波を低減するヘアドライヤーを提供する。【解決手段】一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるヘアドライヤーであって、前記耐熱絶縁プレートと異なる方向に沿ってらせん状に設けられると共に、該スイッチを介して夫々電源と電気接続する複数の電熱線組が設けられ、電流が前記異なる方向に沿ってらせん状に設けられる複数の電熱線組に流れる。【選択図】図１
0003125720.tif 000002
【実用新案登録請求の範囲】
【請求項１】
一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるへアドライヤーであって、
前記耐熱絶縁プレートと異なる方向に沿ってらせん状に設けられると共に、該スイッチを介して夫々電源と電気接続する複数の電熱線組が設けられ、電流が前記異なる方向に沿ってらせん状に設けられる複数の電熱線組に流れることにより、電磁波を相殺することを特徴とする電磁波を低減するヘアドライヤー。
【請求項２】
一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるヘアドライヤーであって、
前記耐熱絶縁プレートと同方向に沿ってらせん状に設けられると共に、該スイッチを介して夫々電源と電気接続する複数の電熱線組が設けられ、電流が前記複数の電熱線組と異なる方向に沿って流れることにより、電磁波を相殺することを特徴とする電磁波を低減するヘアドライヤー。
【請求項３】
一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるヘアドライヤーであって、
前記耐熱絶縁プレートにらせん状に設けられると共に、該スイッチを介して夫々電源と電気接続する複数の電熱線組が設けられ、各電熱線組は夫々異なる方向に沿って耐熱絶縁プレートにらせん状に巻き回す第１段と第２段を有し、電流が前記異なる方向に沿ってらせん状に設けられる複数の電熱線組における第１段と第２段に流れることにより、電磁波を相殺することを特徴とする電磁波を低減するヘアドライヤー。
【考案の詳細な説明】
【技術分野】
【０００１】
本考案は、特に電熱線を異なる方向へ巻き回すことにより、電熱線から発生する電磁波を相殺する電磁波を低減するヘアドライヤーに関するものである。
【背景技術】
【０００２】
ヘアドライヤーは、加熱した電熱線を介して、空気を加熱しながら、排出することにより、濡れたヘアを短時間で乾燥するものである。図９に示すように、従来のヘアドライヤー（９０）の電熱線（９２）は、同じの巻き回し方向に沿ってらせん状にヘアドライヤー（９０）の内部における耐熱絶縁プレート（９１）に設けられる。
【考案の開示】
【考案が解決しようとする課題】
【０００３】
しかしながら、前記従来のヘアドライヤー（９０）を使用する際は、該電熱線（９２）から大量の電磁波を発生し、人体に対して悪影響を与えるという問題があった。
【０００４】
そこで、案出されたのが本考案であって、電熱線を異なる方向へ巻き回すことにより、電熱線から発生する電磁波を相殺する電磁波を低減するヘアドライヤーを提供することを目的としている。
【課題を解決するための手段】
【０００５】
本願の請求項１の考案は、一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるへアドライヤーであって、
前記耐熱絶縁プレートと異なる方向に沿ってらせん状に設けられると共に、該スイッチを介して夫々電源と電気接続する複数の電熱線組が設けられ、電流が前記異なる方向に沿ってらせん状に設けられる複数の電熱線組に流れることにより、電磁波を相殺することを特徴とする電磁波を低減するヘアドライヤー、を提供する。
【０００６】
本願の請求項２の考案は、一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるヘアドライヤーであって、
前記耐熱絶縁プレートに同じ方向に沿ってらせん状に設けられると共に、該スイッチを介して夫々電源と電気接続する複数の電熱線組が設けられ、電流が前記複数の電熱線組と異なる方向に沿って流れることにより、電磁波を相殺することを特徴とする電磁波を低減するヘアドライヤー、を提供する。
【０００７】
本願の請求項３の考案は、一端の外側に複数の空気孔が形成されると共に、他端に空気排出口が形成され、該空気孔と空気排出口との間にバレルが設けられる中空のケースと、該ケースの外側に設けられるスイッチと、該ケースの内部に設けられると共に、前記スイッチと電気接続するモータと、該モータの出力軸に設けられると共に、前記空気孔の付近に位置するファンと、該バレルの内部に設けられる耐熱絶縁プレートと、を備えるヘアドライヤーであって、
前記耐熱絶縁プレートにらせん状に設けられると共に、該スイッチを介して夫々電源と電気接続する複数の電熱線組が設けられ、各電熱線組は夫々異なる方向に沿って耐熱絶縁プレートにらせん状に巻き回す第１段と第２段を有し、電流が前記異なる方向に沿ってらせん状に設けられる複数の電熱線組における第１段と第２段に流れることにより、電磁波を相殺することを特徴とする電磁波を低減するヘアドライヤー、を提供する。
【考案の効果】
【０００８】
本考案は上記の課題を解決するものであり、ヘアドライヤーの内部における耐熱絶縁プレートと異なる方向に沿ってらせん状に複数の電熱線組が設けられることにより、該電熱線組から生じる電磁波を相殺できるので、ヘアドライヤーの電磁波を低減することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る電磁波を低減するヘアドライヤーの断面図であり、図２は本考案に係る電磁波を低減するヘアドライヤーの第１実施例の電熱線組により高熱量を発生する状態を示す平面図であり、図３は本考案に係る電磁波を低減するヘアドライヤーの第１実施例の電熱線組により中熱量を発生する状態を示す平面図であり、図４は本考案に係る電磁波を低減するヘアドライヤーの第１実施例の電熱線組により低熱量を発生する状態を示す平面図であり、図５は本考案に係る電磁波を低減するヘアドライヤーの第２実施例の電熱線組により高熱量を発生する状態を示す平面図であり、図６は本考案に係る電磁波を低減するヘアドライヤーの第２実施例の電熱線組により中熱量を発生する状態を示す平面図であり、図７は本考案に係る電磁波を低減するヘアドライヤーの第２実施例の電熱線組により低熱量を発生する状態を示す平面図であり、図８は本考案に係る電磁波を低減するヘアドライヤーの第３実施例の電熱線組を示す平面図であり、上記図面の中に、横方向のアローは磁場方向であり、上下方向や湾曲方向のアローは電流方向である。
【００１１】
図１に示すように、本考案に係る電磁波を低減するヘアドライヤーは、ケース（１０）と、スイッチ（２０）と、モータ（３０）と、ファン（４０）と、耐熱絶縁プレート（５０）と、複数の電熱線組（６０Ａ）（６０Ｂ）（６０Ｃ）と、を備える。
【００１２】
前記ケース（１０）は、中空状であり、一端の外側に複数の空気孔（１１）が形成されると共に、他端に空気排出口（１３）が形成され、該空気孔（１１）と空気排出口（１３）との間にバレル（１２）が設けられる。
【００１３】
前記スイッチ（２０）は、該ケース（１０）の外側に設けられる３段式スイッチであり、該スイッチ（２０）を制御することにより、ヘアドライヤーから異なる温度を有する風が吹き出すことができる。
【００１４】
前記モータ（３０）は、該ケース（１０）の内部に設けられると共に、前記スイッチ（２０）と電気接続する。
【００１５】
前記ファン（４０）は、モータ（３０）の出力軸（符号なし）に設けられると共に、前記空気孔（１１）の付近に位置する。
【００１６】
前記耐熱絶縁プレート（５０）は、該ケース（１０）のバレル（１２）の内部に設けられる。
【００１７】
前記複数の電熱線組（６０Ａ）（６０Ｂ）（６０Ｃ）は、異なる方向に沿ってらせん状に該耐熱絶縁プレート（５０）に設けられると共に、該スイッチ（２０）を介して夫々電源と電気接続する。
【００１８】
図２乃至図４に示すように、本考案に係る電磁波を低減するヘアドライヤーの第１実施例の電熱線組は、第１電熱線組（６０Ａ）と第２電熱線組（６０Ｂ）と第３電熱線組（６０Ｃ）とを有し、該第１電熱線組（６０Ａ）は、両端に夫々電気接続点（Ａ１）（Ａ２）が設けられると共に、順時針の方向に沿ってらせん状に耐熱絶縁プレート（５０）に設けられ、前記第２電熱線組（６０Ｂ）と第３電熱線組（６０Ｃ）は、両端に夫々電気接続点（Ｂ１）（Ｂ２）（Ｃ１）（Ｃ２）が設けられると共に、逆時針の方向に沿ってらせん状に耐熱絶縁プレート（５０）に設けられる。
【００１９】
前記スイッチ（２０）の制御によって電熱線組を通過する総電流量を変える。図２に示すように、高温の空気を吹き出そうとする際、該スイッチ（２０）を介して第２電熱線組（６０Ｂ）と第３電熱線組（６０Ｃ）を直列させた後、第１電熱線組（６０Ａ）と並列させ、この際、電気接続点（Ｂ２）が電気接続点（Ｃ１）と連接され、電流が電気接続点（Ａ１）（Ｂ１）から流れ込み、その後、電気接続点（Ａ２）（Ｃ２）から流れ出す。
【００２０】
前記第１電熱線組（６０Ａ）と第２／第３電熱線組（６０Ｂ）（６０Ｃ）の巻き回す方向は逆であり、第１電熱線組（６０Ａ）と第２／第３電熱線組（６０Ｂ）（６０Ｃ）から発生する磁場方向も逆であるので、電磁波を相殺することができる。
【００２１】
又、図３に示すように、中温の空気を吹き出そうとする際、該スイッチ（２０）を介して第１電熱線組（６０Ａ）に電流を通過させなく、第２／第３電熱線組（６０Ｂ）（６０Ｃ）を直列させ、この際、電気接続点（Ｂ２）が電気接続点（Ｃ２）と連接され、電流が電気接続点（Ｂ１）から流れ込み、その後、電気接続点（Ｃ１）から流れ出す。この場合、第２電熱線組（６０Ｂ）と第３電熱線組（６０Ｃ）に流れる電流の方向は逆であり、第２／第３電熱線組（６０Ｂ）（６０Ｃ）から発生する磁場方向も夫々逆であるので、電磁波を相殺することができる。
【００２２】
又、図４に示すように、低温の空気を吹き出そうとする際、該スイッチ（２０）を介して全ての電熱線組（６０Ａ）（６０Ｂ）（６０Ｃ）を直列させ、この際、電気接続点（Ａ２）が電気接続点（Ｂ１）と連接されると共に、電気接続点（Ｂ２）が電気接続点（Ｃ１）と連接され、電流が電気接続点（Ａ１）から流れ込み、その後、電気接続点（Ｃ２）から流れ出す。
【００２３】
前記第１電熱線組（６０Ａ）と第２／第３電熱線組（６０Ｂ）（６０Ｃ）の巻き回す方向は逆であり、第１電熱線組（６０Ａ）と第２／第３電熱線組（６０Ｂ）（６０Ｃ）から発生する磁場方向も逆であるので、電磁波を相殺することができる。
【００２４】
又、図５乃至図７に示すように、本考案に係る電磁波を低減するヘアドライヤーの第２実施例は、前記第１実施例と等しく、第１電熱線組（６０Ｄ）と、第２電熱線組（６０Ｅ）と、第３電熱線組（６０Ｆ）とを有し、これらの電熱線組（６０Ｄ）（６０Ｅ）（６０Ｆ）は、みんな順時針の方向に沿ってらせん状に該耐熱絶縁プレート（５０）に設けられる。
【００２５】
図５に示すように、高温の空気を吹き出そうとする際、該スイッチ（２０）を介して第２電熱線組（６０Ｅ）と第３電熱線組（６０Ｆ）を直列させた後、第１電熱線組（６０Ｄ）と並列させ、この際、電気接続点（Ｅ２）が電気接続点（Ｆ１）と連接され、電流が電気接続点（Ｄ１）（Ｆ２）から流れ込み、その後、電気接続点（Ｄ２）（Ｅ１）から流れ出すことにより、第１電熱線組（６０Ｄ）と第２／第３電熱線組（６０Ｅ）（６０Ｆ）から発生する磁場方向が逆であるので、電磁波を相殺することができる。
【００２６】
図６に示すように、中温の空気を吹き出そうとする際、該スイッチ（２０）を介して第１電熱線組（６０Ｄ）に電流を通過させなく、第２／第３電熱線組（６０Ｅ）（６０Ｆ）を直列させ、この際、電気接続点（Ｅ２）が電気接続点（Ｆ２）と連接され、電流が電気接続点（Ｅ１）から流れ込み、その後、電気接続点（Ｆ１）から流れ出す。この場合、第２電熱線組（６０Ｅ）と第３電熱線組（６０Ｆ）に流れる電流の方向は逆であり、第２／第３電熱線組（６０Ｅ）（６０Ｆ）から発生する磁場方向も夫々逆であるので、電磁波を相殺することができる。
【００２７】
図７に示すように、低温の空気を吹き出そうとする際、該スイッチ（２０）を介して全ての電熱線組（６０Ｄ）（６０Ｅ）（６０Ｆ）を直列させ、この際、電気接続点（Ｄ２）が電気接続点（Ｆ１）と連接されると共に、電気接続点（Ｅ２）が電気接続点（Ｆ１）と連接され、電流が電気接続点（Ｄ１）から流れ込み、その後、電気接続点（Ｅ１）から流れ出すことにより、第１電熱線組（６０Ｄ）と第２／第３電熱線組（６０Ｅ）（６０Ｆ）から発生する磁場方向が逆であるので、電磁波を相殺することができる。
【００２８】
図８に示すように、本考案に係る電磁波を低減するヘアドライヤーの第３実施例は、互いに直列される第１電熱線組（６０Ｇ）と第２電熱線組（６０Ｈ）を有し、該第１電熱線組（６０Ｇ）と第２電熱線組（６０Ｈ）は夫々異なる方向に沿って耐熱絶縁プレート（５０）にらせん状に巻き回す第１段（６１）と第２段（６２）を有することにより、第１電熱線組（６０Ｇ）と第２電熱線組（６０Ｈ）における第１段（６１）と第２段（６２）から発生する磁場方向が常に夫々逆であるので、電磁波を相殺することができる。
【産業上の利用可能性】
【００２９】
本考案は上記の構成を有すし、ヘアドライヤーの内部における耐熱絶縁プレートと異なる方向に沿ってらせん状に複数の電熱線組が設けられることにより、該電熱線組から生じる電磁波を相殺できるので、ヘアドライヤーの電磁波を低減することができる。
【図面の簡単な説明】
【００３０】
【図１】本考案に係る電磁波を低減するヘアドライヤーの断面図である。
【図２】本考案に係る電磁波を低減するヘアドライヤーの第１実施例の電熱線組により高熱量を発生する状態を示す平面図であり、その中、横方向のアローは磁場方向であり、上下方向や湾曲方向のアローは電流方向である。
【図３】本考案に係る電磁波を低減するヘアドライヤーの第１実施例の電熱線組により中熱量を発生する状態を示す平面図であり、その中、横方向のアローは磁場方向であり、上下方向や湾曲方向のアローは電流方向である。
【図４】本考案に係る電磁波を低減するヘアドライヤーの第１実施例の電熱線組により低熱量を発生する状態を示す平面図であり、その中、横方向のアローは磁場方向であり、上下方向や湾曲方向のアローは電流方向である。
【図５】本考案に係る電磁波を低減するヘアドライヤーの第２実施例の電熱線組により高熱量を発生する状態を示す平面図であり、その中、横方向のアローは磁場方向であり、上下方向や湾曲方向のアローは電流方向である。
【図６】本考案に係る電磁波を低減するヘアドライヤーの第２実施例の電熱線組により中熱量を発生する状態を示す平面図であり、その中、横方向のアローは磁場方向であり、上下方向や湾曲方向のアローは電流方向である。
【図７】本考案に係る電磁波を低減するヘアドライヤーの第２実施例の電熱線組により低熱量を発生する状態を示す平面図であり、その中、横方向のアローは磁場方向であり、上下方向や湾曲方向のアローは電流方向である。
【図８】本考案に係る電磁波を低減するヘアドライヤーの第３実施例の電熱線組を示す平面図であり、その中、横方向のアローは磁場方向であり、上下方向や湾曲方向のアローは電流方向である。
【図９】従来のヘアドライヤーの内部構造を示す断面図である。
【符号の説明】
【００３１】
１０        ケース   １１        空気孔
１２        バレル   １３        空気排出口
２０        スイッチ          ３０        モータ
４０        ファン   ５０        耐熱絶縁プレート
６０Ａ      第１電熱線組  ６０Ｂ      第２電熱線組
６０Ｃ      第３電熱線組  ６０Ｄ      第１電熱線組
６０Ｅ      第２電熱線組  ６０Ｆ      第３電熱線組
６０Ｇ      第１電熱線組  ６０Ｈ      第２電熱線組
６１        第１段   ６２        第２段
Ａ１、Ａ２  電気接続点          Ｂ１、Ｂ２  電気接続点
Ｃ１、Ｃ２  電気接続点          Ｄ１、Ｄ２  電気接続点
Ｅ１、Ｅ２  電気接続点          Ｆ１、Ｆ２  電気接続点
９０        ヘアドライヤー         ９１        耐熱絶縁プレート
９２        電熱線
【図１】
0003125720.tif 000003
【図２】
0003125720.tif 000004
【図３】
0003125720.tif 000005
【図４】
0003125720.tif 000006
【図５】
0003125720.tif 000007
【図６】
0003125720.tif 000008
【図７】
0003125720.tif 000009
【図８】
0003125720.tif 000010
【図９】
0003125720.tif 000011